(57)【要約】【課題】  被写体を測定するための測定領域の調整を高精度かつ迅速に行うことができる撮像装置を提供する。【解決手段】  被写体からの光を撮像する撮像素子１２と、撮像素子に基づくスルー画像を表示する表示部２０と、表示部に表示されるスルー画像中の被写体を測定するための測定領域を任意に調整する調整部とを有する撮像装置２において、調整部２４ｂは、スルー画像に対する測定領域の調整を、所定の自由度で粗く調整する粗調整部と、スルー画像に対する測定領域の調整を、所定の自由度よりも細かい自由度で微調整する微調整部と、調整部２４ｂの機能を、粗調整部による粗調整機能と微調整部による微調整機能との間で切り換える切換部１０とを備え、微調整部は、切換部により粗調整機能から微調整機能に切換られた際には、粗調整部により粗調整された測定領域を基点として、測定領域の微調整を開始する。【選択図】  図１
2011119969.tif 000002
【特許請求の範囲】
【請求項１】
被写体からの光を撮像する撮像素子と、
前記撮像素子に基づくスルー画像を表示する表示部と、
前記表示部に表示される前記スルー画像中の前記被写体を測定するための測定領域を任意に調整する調整部と、を有する撮像装置において、
前記調整部は、
前記スルー画像に対する前記測定領域の調整を、所定の自由度で粗く調整する粗調整部と、
前記スルー画像に対する前記測定領域の調整を、前記所定の自由度よりも細かい自由度で微調整する微調整部と、
前記調整部の機能を、前記粗調整部による粗調整機能と前記微調整部による微調整機能との間で切り換える切換部と、
を備え、
前記微調整部は、前記切換部により前記粗調整機能から前記微調整機能に切換られた際には、前記粗調整部により粗調整された前記測定領域を基点として、前記測定領域の微調整を開始することを特徴とする撮像装置。
【請求項２】
前記微調整部は、前記粗調整部により粗調整される際に移動可能な前記測定領域のステップ幅より小さいステップ幅で前記測定領域を移動させることを特徴とする請求項１記載の撮像装置。
【請求項３】
前記微調整部での調整に用いられる前記測定領域の大きさは、前記粗調整部で使用される前記測定領域の大きさよりも小さいことを特徴とする請求項１または請求項２記載の撮像装置。
【請求項４】
前記微調整部での調整に用いられる前記測定領域は、前記粗調整部で使用される前記測定領域の範囲内およびその近傍でのみ移動可能であることを特徴とする請求項３記載の撮像装置。
【請求項５】
前記スルー画像中の人物の顔領域を認識する顔領域認識部を更に備え、
前記粗調整部は、前記顔領域認識部により認識された複数の前記人物の顔領域の何れかを選択することを特徴とする請求項１〜請求項４の何れか一項に記載の撮像装置。
【請求項６】
前記スルー画像中の人物の顔領域を認識する顔領域認識部を更に備え、
前記微調整部は、前記顔領域認識部により認識された前記人物の顔領域の範囲内において、当該顔領域の大きさよりも小さな領域を前記測定領域として前記調整を行うことを特徴とする請求項１〜請求項５の何れか一項に記載の撮像装置。
【請求項７】
前記調整部は、前記測定領域を前記スルー画像上の任意の位置に移動せしめる第１操作部材、及び当該第１操作部材の機能を切り換えるために操作される第２操作部材を更に備え、
前記切換部は、前記第１操作部材及び前記第２操作部材の操作が同時になされた場合には、前記調整部の機能を前記粗調整機能と前記微調整機能のうちの何れか一方から他方に、または何れか他方から一方に切り換えることを特徴とする請求項１〜請求項６の何れか一項に記載の撮像装置。
【請求項８】
前記調整部は、ダブルクリック操作が可能な操作部材を更に備え、
前記切換部は、前記操作部材によりダブルクリック操作がなされた場合には、前記調整部の機能を前記粗調整機能と前記微調整機能のうちの何れか一方から他方に、または何れか他方から一方に切り換えることを特徴とする請求項１〜請求項６の何れか一項に記載の撮像装置。
【請求項９】
操作部材を更に備え、
前記切換部は、前記操作部材により所定時間以上継続操作がなされた場合には、前記粗調整から前記微調整に、または前記微調整から前記粗調整に切り換えることを特徴とする請求項１〜請求項６の何れか一項に記載の撮像装置。
【請求項１０】
前記スルー画像中のフォーカス領域に対する合焦位置を調整するためのフォーカスレンズの駆動を制御するフォーカスレンズ駆動制御部を更に備え、
前記調整部は、前記測定領域として前記フォーカス領域を設定し、
前記フォーカスレンズ駆動制御部は、前記粗調整部により前記フォーカス領域の前記位置が粗調整動作されている間は、当該粗調整動作が終了するまで前記フォーカスレンズの駆動を禁止し、
前記微調整部により前記フォーカス領域の前記位置が微調整動作されている間は、前記微調整部により微調整される前記フォーカス領域が常時合焦するように、前記フォーカスレンズを継続駆動させることを特徴とする請求項１〜請求項９の何れか一項に記載の撮像装置。
【請求項１１】
前記粗調整部は、前記スルー画像内に予め設定されている複数の選択領域の中の何れかを選択することにより前記測定領域の前記スルー画像内の位置を粗調整し、
前記切換部により前記微調整から前記粗調整に前記調整部の機能を切り換えられた際に、前記微調整部により微調整された前記測定領域の前記位置近傍に位置する前記選択領域を基点として前記測定領域の前記位置の粗調整を開始することを特徴とする請求項１〜請求項１０の何れか一項に記載の撮像装置。              
【発明の詳細な説明】
【技術分野】
【０００１】
本発明は、被写体を測定するための測定領域を調整可能な撮像装置に関するものである。
【背景技術】
【０００２】
撮影画面の所定領域（ＡＦエリア）内の被写体に、フォーカスレンズを移動させることにより自動的に合焦させるオートフォーカス機能を備えており、撮影画面内において予め設定されている複数のエリアの中から選択された１つのエリアをＡＦエリアとする撮像装置が存在する。また、上述のオートフォーカス機能を備え、ユーザーがグリップボタンを所望の方向に傾けて操作することにより撮影画面内の中央エリアから移動させた任意のエリアをＡＦエリアとする撮像装置も提案されている（例えば、特許文献１参照）。
【先行技術文献】
【特許文献】
【０００３】
【特許文献１】特開２００７−８８６５５号公報
【発明の概要】
【発明が解決しようとする課題】
【０００４】
しかしながら、複数のエリアの中から選択された１つのエリアをＡＦエリアとする上述の撮像装置においては、ユーザーが所定の操作部材等を操作することによりＡＦエリアを迅速に設定することができるが、予め設定されている複数のエリア以外のエリアをＡＦエリアとして設定することができないため、所望の構図内の所望のエリアにＡＦエリアを設定することができない場合があった。また、上述の特許文献１記載の撮像装置においては、所望の構図内の所望のエリアにＡＦエリアを設定することができるが、画面の中央エリアからグリップボタンを所望の方向に傾けて操作させることにより所望のエリアに移動させる必要があるため、撮影画面内の周辺部をＡＦエリアとして設定したい場合等、ＡＦエリアを設定するのに時間を要する場合があり、シャッターチャンスを逃す場合があった。
【０００５】
本発明の目的は、被写体を測定するための測定領域の調整を高精度かつ迅速に行うことができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、被写体からの光を撮像する撮像素子（１２）と、前記撮像素子（１２）に基づくスルー画像を表示する表示部（２０）と、前記表示部（２０）に表示される前記スルー画像中の前記被写体を測定するための測定領域を任意に調整する調整部（２４）とを有する撮像装置において、前記調整部（２４ｂ）は、前記スルー画像に対する前記測定領域の調整を、所定の自由度で粗く調整する粗調整部と、前記スルー画像に対する前記測定領域の調整を、前記所定の自由度よりも細かい自由度で微調整する微調整部と、前記調整部（２４ｂ）の機能を、前記粗調整部による粗調整機能と前記微調整部による微調整機能との間で切り換える切換部（１０）とを備え、前記微調整部は、前記切換部（１０）により前記粗調整機能から前記微調整機能に切換られた際には、前記粗調整部により粗調整された前記測定領域を基点として、前記測定領域の微調整を開始することを特徴とする。
【発明の効果】
【０００８】
本発明の撮像装置によれば、被写体を測定するための測定領域を調整する調整部が粗調整部、微調整部、及び粗調整部による粗調整機能と微調整部による微調整機能との間で切り換える切換部を備えているため、測定領域の調整を高精度かつ迅速に行うことができる。
【図面の簡単な説明】
【０００９】
【図１】実施の形態に係る電子カメラのシステム構成を示すブロック図である。
【図２】実施の形態に係る電子カメラにおいてスルー画像中のＡＦエリアを調整する際の処理について説明するためのフローチャートである。
【図３】実施の形態に係る表示部の表示例を示す図である。
【図４】実施の形態に係る表示部の表示例を示す図である。
【図５】実施の形態に係る表示部の表示例を示す図である。
【図６】実施の形態に係る表示部の表示例を示す図である。
【図７】実施の形態に係る表示部の表示例を示す図である。
【図８】実施の形態に係る表示部の表示例を示す図である。
【図９】実施の形態に係る電子カメラにおいてスルー画像中のＡＦエリアを微調整する際の他の処理について説明するためのフローチャートである。
【図１０】実施の形態に係る表示部の表示例を示す図である。
【図１１】選択枠とＡＦ領域との大きさ及び位置関係を説明するための図である。
【図１２】変形例に係る表示部の表示例を示す図である。
【図１３】変形例に係る表示部の表示例を示す図である。
【図１４】変形例に係る表示部の表示例を示す図である。
【発明を実施するための形態】
【００１０】
以下、図面を参照して、本発明の実施の形態に係る撮像装置としての電子カメラについて説明する。図１は、この実施の形態に係る電子カメラ２のシステム構成を示すブロック図である。図１に示すように、電子カメラ２には、フォーカスレンズ６及びフォーカスレンズ６の光軸方向への駆動を制御するレンズ駆動部８等を備えた撮影レンズ４が装着されている。フォーカスレンズ６は、被写体に対する合焦位置を調整するためのレンズであり、レンズ駆動部８は、電子カメラ２（後述する制御部１０）からの制御に従い、フォーカスレンズ６を駆動させる。なお、この実施の形態においては、撮影レンズ４が電子カメラ２に対して着脱可能なレンズ交換式の電子カメラを例に挙げて説明するが、レンズ一体式の電子カメラであってもよい。
【００１１】
電子カメラ２は、マイクロプロセッサ等により構成され、電子カメラ２の各部を統括的に制御する制御部１０を備えている。制御部１０には、撮像素子１２、記録媒体１８、表示部２０、操作部２４、及び記憶部２６が接続されている。撮像素子１２は、ＣＣＤまたはＣＭＯＳ等により構成され、撮影レンズ４を介した被写体からの光を撮像して撮像信号を制御部１０に対して出力する。制御部１０は、撮像素子１２からの撮像信号に基づいて画像データを作成する。また、制御部１０は、作成された画像データのコントラスト値を検出し、検出されたコントラスト値に基づいてコントラスト方式のオートフォーカスを行う。具体的には、レンズ駆動部８を介してフォーカスレンズ６を光軸方向に移動させることによりフォーカス位置を調節する。
【００１２】
記録媒体１８は、電子カメラ２に設けられたカードスロット（図示せず）に着脱可能に装着される可搬性を有する記録媒体であり、例えば、ＣＦカード、ＳＤカード、スマートメディア等が用いられる。記録媒体１８には、制御部１０において作成された画像データ等が記録される。表示部２０は、電子カメラ２の背面部に配置されるＬＣＤ等により構成されるモニタまたはＥＶＦ等により構成され、撮像素子１２からの撮像信号に基づくスルー画像、記録媒体１８に記憶されている画像データに基づく画像、スルー画像中の被写体をフォーカスさせる領域（オートフォーカス領域、以下、ＡＦ領域という。）を粗調整するための複数の選択枠３４（図４参照）、及び画像に関する情報等を表示する。
【００１３】
操作部２４は、電子カメラ２の電源をオンオフする電源スイッチ（図示せず）、撮影を指示するシャッターボタン（図示せず）、表示部２０にメニュー等を表示させるためのメニューボタン２４ａ、メニュー項目等の選択や様々な設定時に操作される十字操作キー２４ｂ、メニュー項目等の選択や様々な設定に対する確定操作を行うための決定（ＯＫ）ボタン２４ｃ、微調整時においてＡＦ領域を移動させる際に操作されるＡＦ領域移動ボタン（例えば、ファンクションボタン等）２４ｄ、微調整時において粗調整時のＡＦ領域の大きさを縮小させる際に操作されるＡＦ領域縮小ボタン（例えば、ＡＦ−Ｌボタン等）２４ｅ等を備えて構成されている。
【００１４】
この実施の形態に係る電子カメラ２では、十字操作キー２４ｂ、ＡＦ領域移動ボタン２４ｄ、ＡＦ領域縮小ボタン２４ｅを操作することにより、表示部２０に表示されるスルー画像中の被写体をフォーカスさせる領域（ＡＦ領域）を任意に調整することができる。以下、図２に示すフローチャートを参照して、この実施の形態に係る電子カメラ２において、表示部２０に表示されるスルー画像中のＡＦ領域を調整する際の処理について説明する。
【００１５】
まず、制御部１０は、ユーザーによりＡＦ領域の調整指示（例えば、メニューボタン２４ａの押下）がなされると、表示部２０に、例えば図３に示すようなＡＦ領域調整モードの選択画面３０を表示する（ステップＳ１０）。ＡＦ領域調整モードの選択画面３０には、ＡＦ領域調整モードとして選択可能な３つの項目、粗調モード、微調モード及び粗微調モードが表示される。粗調モード、微調モード及び粗微調モードについては後述する。ユーザーにより十字操作キー２４ｂ等を用いて何れかの調整モード（図３では、粗微調モード）が選択され、決定（ＯＫ）ボタン２４ｃが押下されると、制御部１０は、選択画面３０においてユーザーにより粗微調モードが選択されたか否かを判別する（ステップＳ１１）。
【００１６】
ステップＳ１１において粗微調モードが選択されていない、即ち粗調モードまたは微調モードが選択されたと判別された場合には（ステップＳ１１、Ｎｏ）、制御部１０は、表示部２０にスルー画像を表示し（ステップＳ１２）、ユーザーにより粗調モードが選択された場合には粗調モードにより、ユーザーにより微調モードが選択された場合には微調モードによりＡＦ領域の調整を行う（ステップＳ１３）。
【００１７】
粗調モードとは、表示部２０に表示されているスルー画像に対するＡＦ領域を所定の自由度で粗く調整するモードのことである。具体的には、制御部１０は、例えば図４に示すように、スルー画像３２上にスルー画像３２に対する位置及び大きさが予め設定されている複数の選択枠３４を表示し、スルー画像３２の中心部に位置する選択枠３４ａをＡＦ領域３６として設定する。ユーザーは、個々の選択枠間を移動せしめる十字操作キー２４ｂを用いて所定の選択枠（例えば選択枠３４ａ）から所定の選択枠の上下左右の選択枠（例えば選択枠３４ｂ〜３４ｉ）に移動させることによりＡＦ領域を粗調整する。制御部１０は、例えば図５に示すように、ユーザーにより選択枠３４ａから移動され、選択された選択枠３４ｊをＡＦ領域（選択枠内の被写体をフォーカスさせる）３６として設定する。
【００１８】
微調モードとは、表示部２０に表示されているスルー画像に対するＡＦ領域を所定の自由度より細かい自由度で微調整するモードのことである。具体的には、制御部１０は、例えば図６に示すように、スルー画像３２上の中心部に移動枠３８を表示し、移動枠３８をＡＦ領域３６として設定する。ユーザーは、移動枠３８をスルー画像３２上の任意の位置に移動せしめる十字操作キー２４ｂを用いて移動枠３８を移動させることによりＡＦ領域３６を微調整する。制御部１０は、例えば図７に示すように、ユーザーにより移動された移動枠３８の位置をＡＦ領域（移動枠内の被写体をフォーカスさせる）３６の位置として設定する。
【００１９】
一方、ステップＳ１１において粗微調モードが選択されたと判別された場合には（ステップＳ１１、Ｙｅｓ）、制御部１０は、表示部２０にスルー画像を表示し（ステップＳ１４）、粗微調モードによりＡＦ領域の調整を行う。粗微調モードとは、上述の粗調モードによる粗調整機能と微調モードによる微調整機能とを互いに切り換え、粗調モードによる粗調整及び微調モードによる微調整の両方によりＡＦ領域のスルー画像に対する位置の調整を行うモードのことである。具体的には、制御部１０は、例えば図４に示すように、スルー画像３２上にスルー画像３２に対する位置及び大きさが予め設定されている複数の選択枠３４を表示し、この複数の選択枠３４中の何れかを選択することによりＡＦ領域３６を粗調整する（ステップＳ１５）。即ち、十字操作キー２４ｂを用いて所定の選択枠（例えば選択枠３４ａ）から所定の選択枠の上下左右の選択枠（例えば選択枠３４ｂ〜３４ｉ）に移動させることにより、スルー画像３２内のＡＦ領域３６の位置を粗調整する（ステップＳ１５）。
【００２０】
ここで、制御部１０は、ステップＳ１５においてユーザーにより十字操作キー２４ｂを用いたＡＦ領域３６の粗調整が行われている間は、粗調整が終了するまでフォーカスレンズ６の駆動を禁止する。即ち、ＡＦ領域３６（選択されている選択枠）内の被写体に対する合焦動作を禁止する。このように、ＡＦ領域３６の粗調整がなされている際に、選択枠３４の移動に伴いフォーカスレンズ６が移動するのを待機する必要がないため、選択枠３４の移動を迅速に行うことができ、ＡＦ領域３６の粗調整を迅速に行うことができる。なお、粗調整が終了するまでの間、フォーカスレンズ６の駆動を禁止しているが、スルー画像３２に基づく画像データのコントラスト値からのフォーカス位置の検出については、禁止してもよく、または継続させてもよい。
【００２１】
次に、制御部１０は、十字操作キー２４ｂ、及び十字操作キー２４ｂの機能を切り換えるために操作されるＡＦ領域移動ボタン２４ｄの操作が同時になされたか否かを判別する（ステップＳ１６）。ステップＳ１６において十字操作キー２４ｂ及びＡＦ領域移動ボタン２４ｄの操作が同時になされたと判別された場合には（ステップＳ１６、Ｙｅｓ）、制御部１０は、十字操作キー２４ｂの機能を、粗調整機能から微調整機能に切り換える。即ち、制御部１０は、粗微調モードにおいて、十字操作キー２４ｂのみの操作であるか、または十字操作キー２４ｂ及びＡＦ領域移動ボタン２４ｄの同時操作であるかを判別することにより、十字操作キー２４ｂの機能を、粗調整機能と微調整機能との間で切り換える。
【００２２】
制御部１０は、微調整機能に切り換えた後、ステップＳ１５において粗調整されたＡＦ領域３６の位置を基点としてＡＦ領域３６の微調整を開始する（ステップＳ１７）。例えば、ステップＳ１５において、図４及び図５に示すように、ＡＦ領域３６が選択枠３４ａから選択枠３４ｊに移動された場合には、選択枠３４ｊを移動枠としてＡＦ領域３６の微調整を開始する。ステップＳ１７におけるＡＦ領域３６の微調整では、ステップＳ１５におけるＡＦ領域３６の粗調整の際に移動可能なＡＦ領域３６のステップ幅より小さいステップ幅でＡＦ領域３６を移動させる。即ち、選択枠３４から他の選択枠３４へ移動可能な粗調整に対し、微調整では、図８に示すように、移動枠４０が選択枠３４と他の選択枠３４との間を移動させることができる。ユーザーは、ＡＦ領域移動ボタン２４ｄの押下を継続した状態で、十字操作キー２４ｂを用いて移動枠４０を移動させることによりＡＦ領域３６を微調整する。
【００２３】
ここで、制御部１０は、ステップＳ１７においてユーザーにより十字操作キー２４ｂ及びＡＦ領域移動ボタン２４ｄを用いたＡＦ領域３６の微調整が行われている間は、微調整（移動）されている移動枠４０（ＡＦ領域３６）内の被写体が常時合焦するように、フォーカスレンズ６をレンズ駆動部８を介して継続駆動させる。即ち、制御部１０は、移動枠４０内の被写体に基づく画像データのコントラスト値からフォーカス位置を検出し、検出結果に基づいてフォーカスレンズ６の移動量を算出し、算出結果に基づいてフォーカスレンズ６を移動させる。このように、ＡＦ領域３６の微調整がなされている際に、移動枠４０の移動に伴いフォーカスレンズ６が移動するため、移動枠４０内の被写体の合焦状態を確認しつつＡＦ領域３６の微調整を行うことができる。
【００２４】
一方、ステップＳ１３の処理の後、またはステップＳ１６において十字操作キー２４ｂ及びＡＦ領域移動ボタン２４ｄの操作が同時になされていないと判別された後（ステップＳ１６、Ｎｏ）、例えば、シャッターボタン（図示せず）が半押しされた場合等には、制御部１０は、調整されたＡＦ領域３６内の被写体が合焦するように、フォーカスレンズ６をレンズ駆動部８を介して駆動させる（ステップＳ１８）。
【００２５】
なお、制御部１０は、粗微調モードにおいて、ステップＳ１７またはＳ１８の処理を行っている際に、十字操作キー２４ｂのみの操作がなされたことを検出した場合には、十字操作キー２４ｂの機能を微調整機能から粗調整機能に切り換える。この場合には、制御部１０は、微調整された移動枠４０（ＡＦ領域３６）の位置近傍に位置する選択枠（図８では、選択枠３４ｊ）を基点としてＡＦ領域３６の位置の粗調整を開始する。
【００２６】
次に、図９に示すフローチャートを参照して、粗微調モードにおいてスルー画像中のＡＦ領域の他の微調整方法について説明する。
【００２７】
まず、ユーザーにより粗微調モードが選択された後、制御部１０は、図４に示すように、表示部２０にスルー画像３２、及びスルー画像３２上に複数の選択枠３４を表示し（ステップＳ２０）、この複数の選択枠３４の中の何れかを選択することによりＡＦ領域３６のスルー画像３２に対する位置の粗調整を行う（ステップＳ２１）。
【００２８】
次に、制御部１０は、十字操作キー２４ｂ、及び十字操作キー２４ｂの機能を切り換えるために操作されるＡＦ領域縮小ボタン２４ｅの操作が同時になされたか否かを判別する（ステップＳ２２）。ステップＳ２２において十字操作キー２４ｂ及びＡＦ領域縮小ボタン２４ｅの操作が同時になされたと判別された場合には（ステップＳ２２、Ｙｅｓ）、制御部１０は、十字操作キー２４ｂの機能を粗調整機能から微調整機能に切り換え、ステップＳ２１において粗調整されたＡＦ領域３６（例えば図５に示す選択枠３４ｊ）の位置を基点としてＡＦ領域３６の大きさを縮小する（ステップＳ２３）。
【００２９】
具体的には、図１０に示すように、ＡＦ領域３６の大きさを、ステップＳ２１における粗調整の際のＡＦ領域３６の大きさ（図１０では選択枠３４ｊの大きさ）よりも小さくする。ユーザーは、ＡＦ領域縮小ボタン２４ｅの押下を継続した状態で、十字操作キー２４ｂを用いてＡＦ領域３６の大きさを小さくする。ここで、制御部１０は、ステップＳ２３においてユーザーにより十字操作キー２４ｂ及びＡＦ領域縮小ボタン２４ｅを用いたＡＦ領域３６の大きさの縮小が行われている間は、縮小中のＡＦ領域３６内の被写体が常時合焦するように、フォーカスレンズ６をレンズ駆動部８を介して継続駆動させる。
【００３０】
次に、制御部１０は、十字操作キー２４ｂ及びＡＦ領域移動ボタン２４ｄの操作が同時になされたか否かを判別する（ステップＳ２４）。ステップＳ２４において十字操作キー２４ｂ及びＡＦ領域移動ボタン２４ｄの操作が同時になされたと判別された場合には（ステップＳ２４、Ｙｅｓ）、制御部１０は、ステップＳ２３において縮小されたＡＦ領域３６の位置を基点としてＡＦ領域３６の位置の微調整を行う（ステップＳ２５）。ここで、ステップＳ２５において微調整に用いられるＡＦ領域３６は、図１１に示すように、ステップＳ２１において粗調整で使用された選択枠３４ｊ（図１０参照）の範囲内（選択枠３４ｊ内及び選択枠３４ｊの線状）及びその近傍でのみ移動可能である。また、ステップＳ２５における微調整時においても、ステップＳ２３における縮小時と同様に、移動中のＡＦ領域３６内の被写体が常時合焦するように、フォーカスレンズ６をレンズ駆動部８を介して継続駆動させる。
【００３１】
一方、ステップＳ２２において十字操作キー２４ｂ及びＡＦ領域縮小ボタン２４ｅの操作が同時になされていないと判別された後（ステップＳ２２、Ｎｏ）、例えば、シャッターボタン（図示せず）が半押しされた場合等には、制御部１０は、粗調整されたＡＦ領域３６内の被写体が合焦するように、フォーカスレンズ６をレンズ駆動部８を介して駆動させる（ステップＳ２６）。
【００３２】
この実施の形態に係る電子カメラ２によれば、ＡＦ領域を粗調整する粗調整機能及び微調整する微調整機能を備えており、また、粗調整機能と微調整機能との間で切り換え可能であり、切り換えの際に一方の調整機能により調整されたＡＦ領域位置を基点として他方の調整機能による調整を行うことができるため、ＡＦ領域の調整を高精度かつ迅速に行うことができる。
【００３３】
次に、上述の実施の形態に係る電子カメラ２において、制御部１０がスルー画像中の人物の顔領域を認識するための顔領域認識部を備えている場合の粗微調モードにおけるＡＦ領域の他の調整方法（変形例）について説明する。
【００３４】
まず、図２に示すステップＳ１０において選択画面３０（図３参照）が表示され、ステップＳ１１において粗微調モードが選択されたと判別された場合には（ステップＳ１１、Ｙｅｓ）、制御部１０は、表示部２０にスルー画像を表示すると同時に（ステップＳ１４）、顔領域認識部において周知の技術を用いてスルー画像中の人物の顔領域の認識を行う。即ち、図１２に示すように、スルー画像４２中の人物の顔領域４４ａ〜４４ｇを検出する。そして、ユーザーは、この複数の顔領域４４ａ〜４４ｊの中から何れかを十字操作キー２４ｂを用いて選択し、制御部１０は、選択された顔領域（図１２では顔領域４４ｂ）をＡＦ領域４６とする粗調整を行う（ステップＳ１５）。なお、制御部１０は、ステップＳ１５においてＡＦ領域４６の粗調整が行われている間は、粗調整が終了するまでフォーカスレンズ６の駆動を禁止する。
【００３５】
次に、ステップＳ１６において十字操作キー２４ｂ及びＡＦ領域移動ボタン２４ｄの操作が同時になされたと判別された場合には（ステップＳ１６、Ｙｅｓ）、制御部１０は、十字操作キー２４ｂの機能を粗調整機能から微調整機能に切り換え、ステップＳ１５において粗調整されたＡＦ領域４６、即ち選択された顔領域４４ｂを基点としてＡＦ領域の微調整を行う（ステップＳ１７）。即ち、顔領域から他の顔領域へ移動可能な粗調整に対し、微調整では、図１３に示すように、ＡＦ領域４６の位置を、粗調整による自由度より細かい自由度で移動させることができる。ユーザーは、ＡＦ領域移動ボタン２４ｄの押下を継続した状態で、十字操作キー２４ｂを用いてＡＦ領域４６を移動させる。なお、制御部１０は、ステップＳ１７においてＡＦ領域４６の微調整が行われている間は、微調整（移動）されているＡＦ領域４６内の被写体が常時合焦するように、フォーカスレンズ６を継続駆動させる。
【００３６】
一方、ステップＳ１６において十字操作キー２４ｂ及びＡＦ領域移動ボタン２４ｄの操作が同時になされていないと判別された後（ステップＳ１６、Ｎｏ）、例えば、シャッターボタン（図示せず）が半押しされた場合等には、制御部１０は、調整されたＡＦ領域４６内の被写体が合焦するように、フォーカスレンズ６を駆動させる（ステップＳ１８）。
【００３７】
また、上述のように、制御部１０がスルー画像中の人物の顔領域を認識するための顔領域認識部を備えている場合であって、粗微調モードにおいてＡＦ領域を微調整する他の方法について説明する。
【００３８】
図７に示すステップＳ２０において、図１２に示すように、表示部２０にスルー画像４２、及びスルー画像４２上の顔領域４４ａ〜４４ｊを表示した後、ステップＳ２１においてこの複数の顔領域４４ａ〜４４ｊの中の何れかを選択することによりＡＦ領域４６のスルー画像３２に対する位置の粗調整を行う。
【００３９】
次に、ステップＳ２２において十字操作キー２４ｂ及びＡＦ領域縮小ボタン２４ｅの操作が同時になされたと判別された場合には（ステップＳ２２、Ｙｅｓ）、制御部１０は、十字操作キー２４ｂの機能を粗調整機能から微調整機能に切り換え、粗調整されたＡＦ領域４６、即ち選択された顔領域（図１２では顔領域４４ｂ）の位置を基点としてＡＦ領域４６の大きさを縮小する（ステップＳ２３）。具体的には、図１４に示すように、ＡＦ領域４６の大きさを、ステップＳ２１における粗調整の際のＡＦ領域４６の大きさ（図１４では顔領域４４ｂの大きさ）よりも小さくする。
【００４０】
次に、ステップＳ２４において十字操作キー２４ｂ及びＡＦ領域移動ボタン２４ｄの操作が同時になされたと判別された場合には（ステップＳ２４、Ｙｅｓ）、制御部１０は、ステップＳ２３において縮小されたＡＦ領域４６の位置を基点としてＡＦ領域４６の微調整を行う（ステップＳ２５）。ここで、ステップＳ２５において微調整に用いられるＡＦ領域４６は、ステップＳ２１において粗調整で使用された顔領域４４ｂ（図１４参照）の範囲内（顔領域４４ｂ内及び顔領域４４ｂの線状）及びその近傍でのみ移動可能である。例えば、顔領域４４ｂ内の人物の目をフォーカスさせたい場合等、ＡＦ領域４６を顔領域４４ｂ内の人物の目の位置まで移動させる。即ち、顔領域４４ｂの範囲内において、顔領域４４ｂの大きさよりも小さな領域をＡＦ領域４６として調整を行う。
【００４１】
上述の変形例によれば、電子カメラ２に設けられている顔領域認識機能を用いてＡＦ領域の調整を容易かつ迅速に行うことができる。即ち、複数の顔領域が認識された場合には、その複数の顔領域の中の何れかを選択し、選択された顔領域をＡＦ領域とする粗調整を行うことができ、選択された顔領域の位置からＡＦ領域の微調整を行うことができる。また、選択された顔領域の大きさよりもＡＦ領域を小さくすることもできるため、顔領域の中でフォーカスさせたい領域（例えば、目、鼻、口等）がある場合等、フォーカスさせたい領域に対応する大きさのＡＦ領域に微調整することができる。
【００４２】
なお、上述の変形例においては、粗微調モードにおけるＡＦ領域の調整について説明したが、粗調モードまたは微調モードにおいても顔領域を用いてＡＦ領域の調整を行うことができる。粗調モードにおいては、図２に示すステップＳ１５または図９に示すステップＳ２１の処理と同様の処理を行うことによりＡＦ領域の調整を行うことができる。微調モードにおいても、図２に示すステップＳ１７、図９に示すステップＳ２３、またはステップＳ２５の処理と同様の処理を行うことによりＡＦ領域の調整を行うことができる。なお、微調モードでは、一つの顔領域が認識された場合にはその認識された顔領域をＡＦ領域とし、複数の顔領域が認識された場合にはその中の何れかを選択し、選択された顔領域をＡＦ領域とする。そして、認識または選択された顔領域（ＡＦ領域）を移動させる。または、ＡＦ領域の大きさを縮小し、選択された顔領域の範囲内において縮小されたＡＦ領域を移動させる。
【００４３】
また、上述の実施の形態においては、十字操作キー２４ｂの機能を、十字操作キー２４ｂのみ操作がなされた場合には粗調整機能に、十字操作キー２４ｂ及びＡＦ領域移動ボタン２４ｄの操作が同時になされた場合には微調整機能に切り換えているが、十字操作キー２４ｂのみ操作がなされた場合には微調整機能に、十字操作キー２４ｂ及びＡＦ領域移動ボタン２４ｄの操作が同時になされた場合には粗調整機能に切り換える構成にしてもよい。
【００４４】
また、上述の実施の形態においては、十字操作キー２４ｂのみの操作であるか、十字操作キー２４ｂ及びＡＦ領域移動ボタン２４ｄの同時操作であるかにより、十字操作キー２４ｂの機能を粗調整機能と微調整機能との間で切り換えているが、十字操作キー２４ｂまたはその他所定の操作部材（図示せず）がダブルクリック操作された場合に、十字操作キー２４ｂの機能を、粗調整機能から微調整機能へ、または微調整機能から粗調整機能へ切り換える構成にしてもよい。また、十字操作キー２４ｂまたはその他所定の操作部材（図示せず）が所定時間以上継続して操作された場合、即ち所定時間以上継続して押下（長押し）された場合に、十字操作キー２４ｂの機能を、粗調整機能から微調整機能へ、または微調整機能から粗調整機能へ切り換える構成にしてもよい。
【００４５】
また、メニューの中のメニュー項目に、粗微調モードにおける粗調整機能から微調整機能への切換、及び微調整機能から粗調整機能への切換を行う項目を加え、十字操作キー２４ｂの機能を切り換える際に、メニュー画面を表示部２０に表示し、十字操作キー２４ｂ等を用いて操作することにより、十字操作キー２４ｂの機能を、粗調整機能から微調整機能へ、または微調整機能から粗調整機能へ切り換える構成にしてもよい。
【００４６】
また、上述の実施の形態においては、十字操作キー２４ｂを操作することによりＡＦ領域の粗調整及び微調整を行う例について説明したが、十字操作キー２４ｂ以外の操作部材を用いてＡＦ領域の粗調整及び微調整を行う構成にしてもよい。
【００４７】
また、上述の実施の形態においては、スルー画像に対するＡＦ領域の調整を行っているが、スルー画像に対する測光領域の調整等、スルー画像中の被写体を測定するための測定領域の調整についても本発明を適用することができる。
【００４８】
また、上述の実施の形態においては、フォーカス位置の検出方法（オートフォーカス機能）としてコントラスト検出方式によるオートフォーカス機能を備えた電子カメラを例に挙げて説明したが、本発明はこれに限られるものではない。例えば特開２００９−８９１４４号公報記載のような、撮像素子１２の一部に、瞳分割位相差検出方式を行うためのＡＦ用画素が埋め込まれた撮像素子を用いてオートフォーカス機能を実現する電子カメラについても本発明を適用することができる。また、例えば位相差検出方式によるオートフォーカス機能を備えた周知のＡＦセンサを撮像素子とは別個に設けた電子カメラ、具体的には被写体光をハーフミラー（このハーフミラーは透過光を撮像素子へ、反射光をＡＦセンサへ導くもの）を介してＡＦセンサと撮像素子に導くように構成された電子カメラにも、本発明を適用することができる。
【符号の説明】
【００４９】
２…電子カメラ、４…撮影レンズ、６…フォーカスレンズ、８…レンズ駆動部、１０…制御部、１２…撮像素子、１８…記録媒体、２０…表示部、２４…操作部。
【図１】
2011119969.tif 000003
【図２】
2011119969.tif 000004
【図３】
2011119969.tif 000005
【図４】
2011119969.tif 000006
【図５】
2011119969.tif 000007
【図６】
2011119969.tif 000008
【図７】
2011119969.tif 000009
【図８】
2011119969.tif 000010
【図９】
2011119969.tif 000011
【図１０】
2011119969.tif 000012
【図１１】
2011119969.tif 000013
【図１２】
2011119969.tif 000014
【図１３】
2011119969.tif 000015
【図１４】
2011119969.tif 000016